(57)【要約】【課題】風量を損なうことなく虫の侵入を防止して安定的に発生させ続けたイオンを、送風機本来の風量で吹き出される空気と共に循環させることが可能な空気循環装置を提供する。【解決手段】照明器２０が、虫除け効果を有する黄色の波長が含まれる光を発して吸入口１３の周囲を照明し、吸入口１３の周囲に飛来する虫に忌避的反応を誘起せしめて、虫に吸入口１３から遠ざかるように行動させる。更に、表面に鏡面加工処理が施されたアルミニウムからなる回転翼１２が、照明器２０から発せられた光の一部を吸入口１３の外側、即ち吸入口の下方及び斜め下方へ反射させ、回転翼１２の回転周期に同期して反射方向を周期的に変化させることによって、吸入口１３の周囲に飛来した虫に対し周期的に点滅する光が当たるようにする。【選択図】図１
2011000100.tif 000002
【特許請求の範囲】
【請求項１】
送風機が吸入口から吸入した空気に正及び／又は負のイオンを含ませ、イオンを含ませた空気を外部へ吹き出して空気を循環させる空気循環装置において、
虫除け効果を有する波長を含む光を発して前記吸入口の周囲を照明する照明器を備えることを特徴とする空気循環装置。
【請求項２】
前記送風機は、光を反射させる部材からなる回転翼を有し、
該回転翼が、前記照明器から発せられた光を前記吸入口の外部へ反射させるようにしてあること
を特徴とする請求項１に記載の空気循環装置。
【請求項３】
前記送風機は、光を反射させる保持部材によって回転軸の周りに保持された複数の羽根を有する遠心ファンであり、
前記保持部材には、前記吸入口の方向に突出する突状部が形成されており、
該突状部が、前記照明器から発せられた光を前記吸入口の外部へ反射させるようにしてあること
を特徴とする請求項１に記載の空気循環装置。
【請求項４】
前記送風機は、回転軸の周りに保持体によって保持された複数の羽根を有する遠心ファンであり、
前記保持体は、前記吸入口と対向する側に光反射部材を有し、
該光反射部材が、前記照明器から発せられた光を前記吸入口の外部へ反射させるようにしてあること
を特徴とする請求項１に記載の空気循環装置。
【請求項５】
前記照明器は、発光ダイオードからなることを特徴とする請求項１から４までの何れか１項に記載の空気循環装置。
【発明の詳細な説明】
【技術分野】
【０００１】
本発明は、イオンを含ませた空気を循環させる空気循環装置に関する。
【背景技術】
【０００２】
従来、植物栽培施設では、植物が病原菌及びウイルスに感染するのを防止し、害虫を駆除するために、各種の農薬が散布されてきた。例えば特許文献１では、殺菌液及び殺虫液を用いて植物栽培施設内の空気の湿度を適切に保持し、更に、施設内の気圧を高めに維持することによって、植物を病原菌、ウイルス及び害虫から守る方法が開示されている。また、特許文献２では、活性物質を霧化して吹き出す装置が開示されており、害虫の駆除、作物及び家畜の保護、殺菌等の用途に有効とされている。
【０００３】
一方、残留農薬の問題に目を移した場合、主に食用として栽培される植物に使用可能な農薬の種類と量とが厳しく制限されているのに対し、特許文献１及び２に開示された技術は、何れも薬剤を使用するものであるため、食用の食物への適用には安全性に十分配慮する必要がある。
【０００４】
ところで、近年、光及びイオンを利用するなどして、農薬以外の手段によって食用の植物の病害虫を防除する研究が盛んに行われており、そのような手段を利用した病害虫の防除設備の販売も行われ始めている。
【０００５】
例えば、特許文献３に開示された技術によれば、病原菌及びウイルスを死滅させることはできないものの、害虫が忌避的反応を示す黄色の光をＬＥＤで発光させ、その光を点滅させて防虫効果を高めることができる。これに対し、空気中にイオンを放出する方法は、病原菌を含む浮遊微生物及びウイルスを死滅させる効果が大であるため、イオン発生装置をエアコン、空気清浄機等の空気調和機に搭載して、人の生活空間における空気の清浄度を高めるのにも利用されているほどである。
【０００６】
このように病原菌及びウイルスに対するイオンの効果が着目されているが、空気中に放出されたイオンは時間の経過と共に消滅することが避けられず、例えば正及び負のイオンが再結合によって消滅する割合は、イオン濃度の２乗に反比例することが知られている。従って、植物栽培施設内等の空間において病原菌及びウイルスを死滅させる効果を行き渡らせ、その効果を持続させるには、十分な量のイオンを安定的に発生させて大量の空気と共に空間内に循環させる必要がある。
【先行技術文献】
【特許文献】
【０００７】
【特許文献１】実用新案登録第３１３３３８０号公報
【特許文献２】特開平５−２４５４１５号公報
【特許文献３】特開２００３−２８４４８２号公報
【発明の概要】
【発明が解決しようとする課題】
【０００８】
しかしながら、例えば植物栽培施設内には、害虫に限らず小型の昆虫類が一般的に多数棲息しており、これらの虫がイオン発生装置の周囲に飛来して電極に付着した場合、イオンの安定的な発生を阻害するという問題があった。
【０００９】
この場合、エアフィルタを用いてイオン発生器の設置部位へ虫が侵入するのを防ぐことが可能であるが、エアフィルタの目を細かくしなければ小さな虫の侵入を防止することができず、逆に目を細かくすればするほど循環する空気の通流抵抗が増大して風量が低下することが問題であった。また、エアフィルタを用いた場合は、同じ風量を得るのに必要な送風機の消費電力が増大するのに加えて、定期的に運転を停止してエアフィルタを交換する必要があり、コスト高になることも問題であった。
【００１０】
本発明は斯かる事情に鑑みてなされたものであり、その目的とするところは、風量を損なうことなく虫の侵入を防止して安定的に発生させ続けたイオンを、豊富な風量で吹き出される空気と共に循環させることが可能な空気循環装置を提供することにある。
【課題を解決するための手段】
【００１１】
本発明に係る空気循環装置は、送風機が吸入口から吸入した空気に正及び／又は負のイオンを含ませ、イオンを含ませた空気を外部へ吹き出して空気を循環させる空気循環装置において、虫除け効果を有する波長を含む光を発して前記吸入口の周囲を照明する照明器を備えることを特徴とする。
【００１２】
本発明にあっては、照明器が、虫除け効果を有する波長が含まれる光を発して空気の吸入口の周囲を照明する。
これにより、空気の吸入口の周囲に飛来する昆虫類等の虫に忌避的反応を誘起せしめ、虫を吸入口から遠ざからせる。
【００１３】
本発明に係る空気循環装置は、前記送風機は、光を反射させる部材からなる回転翼を有し、該回転翼が、前記照明器から発せられた光を前記吸入口の外部へ反射させるようにしてあることを特徴とする。
【００１４】
本発明にあっては、光を反射させる部材からなる回転翼が、照明器が発した光を吸入口の外部へ反射させる。
これにより、照明器から回転翼の方向に発せられた光が、吸入口の外側へ反射する。この場合、回転翼の回転に伴って、回転翼に反射した光の反射方向が周期的に変化するため、吸入口の周囲に飛来した虫に対して周期的に点滅する光が当たるようになる。
【００１５】
本発明に係る空気循環装置は、前記送風機は、光を反射させる保持部材によって回転軸の周りに保持された複数の羽根を有する遠心ファンであり、前記保持部材には、前記吸入口の方向に突出する突状部が形成されており、該突状部が、前記照明器から発せられた光を前記吸入口の外部へ反射させるようにしてあることを特徴とする。
【００１６】
本発明にあっては、遠心ファンの複数の羽根を回転軸の周りに保持する保持部材が、光を反射させる部材からなり、吸入口の方向に突出して形成された保持部材の突状部が、照明器から発せられた光を吸入口の外部へ反射させる。
これにより、照明器から突状部の方向に発せられた光が、吸入口の外側へ反射する。この場合、回転翼の回転に伴って、突状部に反射した光の反射方向が周期的に変化するため、吸入口の周囲に飛来した虫に対して周期的に点滅する光が当たるようになる。
【００１７】
本発明に係る空気循環装置は、前記送風機は、回転軸の周りに保持体によって保持された複数の羽根を有する遠心ファンであり、前記保持体は、前記吸入口と対向する側に光反射部材を有し、該光反射部材が、前記照明器から発せられた光を前記吸入口の外部へ反射させるようにしてあることを特徴とする。
【００１８】
本発明にあっては、遠心ファンの複数の羽根を回転軸の周りに保持する保持体において吸入口と対向する側に配された光反射部材が、照明器から発せられた光を吸入口の外部へ反射させる。
これにより、照明器から光反射部材の方向に発せられた光が、吸入口の外側へ反射する。この場合、回転翼の回転に伴って、光反射部材に反射した光の反射方向が周期的に変化するため、吸入口の周囲に飛来した虫に対して周期的に点滅する光が当たるようになる。
【００１９】
本発明に係る空気循環装置は、前記照明器は、発光ダイオードからなることを特徴とする。
【００２０】
本発明にあっては、照明器が発光ダイオードからなるため、照明器の寿命が延び、消費電力が低減される。
【発明の効果】
【００２１】
本発明によれば、虫除け効果を有する波長が含まれる光で空気の吸入口の周囲を照明して虫を吸入口から遠ざからせる。
従って、風量を損なうことなく虫の侵入を防止して安定的に発生させ続けたイオンを、豊富な風量で吹き出される空気と共に循環させることが可能となる。
【図面の簡単な説明】
【００２２】
【図１】本発明の実施の形態１に係る空気循環装置が植物栽培施設の天井に設置された状態を模式的に示す正面視の透視図である。
【図２】送風機を正面下方から見た斜視図、及び送風機の外観を略示する底面図である。
【図３】イオン発生器が取着された送風機の内部構成を略示する正面断面図である。
【図４】イオン発生器の外観を示す斜視図である。
【図５】放電部を駆動する駆動回路の接続例を示す回路図である。
【図６】本発明の実施の形態２に係る空気循環装置が植物栽培施設の天井に設置された状態を模式的に示す正面視の透視図である。
【図７】送風機を正面右下から見た斜視図、及び送風機の外観を略示する底面図である。
【図８】イオン発生器が取着された送風機の内部構成を略示する正面断面図である。
【図９】本発明の実施の形態３に係る空気循環装置が植物栽培施設の天井に設置された状態を模式的に示す正面視の透視図である。
【図１０】送風機を正面右下から見た斜視図、及び送風機の外観を略示する底面図である。
【図１１】イオン発生器が取着された送風機の内部構成を略示する正面断面図である。
【図１２】本発明の実施の形態４に係る空気循環装置の送風機を正面右下から見た斜視図、及び送風機の外観を略示する底面図である。
【図１３】イオン発生器が取着された送風機の内部構成を略示する正面断面図である。
【発明を実施するための形態】
【００２３】
以下、本発明をその実施の形態を示す図面に基づいて詳述する。
（実施の形態１）
図１は、本発明の実施の形態１に係る空気循環装置１が植物栽培施設の天井に設置された状態を模式的に示す正面視の透視図である。また、図２は、送風機を正面下方から見た斜視図、及び送風機の外観を略示する底面図であり、図３は、イオン発生器が取着された送風機の内部構成を略示する正面断面図である。
【００２４】
図中１０は、ビニルハウス等の植物栽培施設２の天井から懸架された空気循環装置１の送風機であり、送風機１０は、上部が天壁１４で閉じられ下部に後述する回転翼１２の直径と略同一長の直径を有する円形状の吸入口１３が開設された扁平な略円筒形状をなすケーシング１１を備える。ケーシング１１には、天壁１４の下面の中央部に配されたモータ１５が鉛直方向を軸にして回転させるプロペラ状の回転翼１２が収容されている。回転翼１２は、４枚の羽根を有しており表面が鏡面化されたアルミニウム合金からなる。
【００２５】
吸入口１３の中央部の下方には、管軸を水平方向に向けた直管蛍光灯からなる照明器２０が配設されている。照明器２０は、虫除け効果を有する黄色の光を発して吸入口１３の周囲を照明する。ケーシング１１の周面には、送風機１０が回転翼１２によって吸入口１３から吸い込んだ空気を回転翼１２の径方向に吹き出すためのリング状の吹出口１６，１６，１６，１６が垂直方向に略等間隔で形成されている。
【００２６】
送風機１０の天壁１４の下面には、正及び負のイオンを発生させるイオン発生器３０，３０が、後述する各放電部３２，３３（図４参照）を下側にして、回転翼１２の外周部の斜め上方且つ回転軸の両側方に位置するように取着されている。イオン発生器３０，３０は、各放電部３２，３３を結ぶ方向が回転翼１２の周方向と略一致するようにしてある。
【００２７】
図４は、イオン発生器３０の外観を示す斜視図である。イオン発生器３０は、上面の両側部に放電部３２，３３となる孔が開設された略直方体状のハウジング３１を備える。放電部３２（又は放電部３３）は、尖鋭状をなす放電電極ＨＤ２（又は放電電極ＨＤ３）と、該放電電極ＨＤ２（又は放電電極ＨＤ３）を囲繞する対向電極ＴＤとを有している。ハウジング３１の一側方の下部には、図示しない直流電源から直流電圧が与えられる電源端子３４が配されている。ハウジング３１の内部には、電源端子３４に与えられた直流電圧から交流電圧を発生させるインバータ（図示せず）と、該インバータから与えられた交流電圧に基づいて放電部３２，３３を駆動する駆動回路３５（図５参照）とが内蔵されている。
【００２８】
図５は、放電部３２，３３を駆動する駆動回路３５の接続例を示す回路図である。駆動回路３５は、前述した交流電圧が印加される入力端子Ｉ１，Ｉ２間に、抵抗Ｒ１側がカソードとなるように接続されたダイオードＤ１、抵抗Ｒ１及びコンデンサＣ１からなる直列回路と、抵抗Ｒ１及びコンデンサＣ１の接続点に二端子サイリスタＳ１を介して一次巻線Ｔ１ａの一端が接続された昇圧トランスＴ１とを備える。一次巻線Ｔ１ａの他端は、入力端子Ｉ１及びコンデンサＣ１の接続点に接続されている。昇圧トランスＴ１の二次巻線Ｔ１ｂの一端は、カソードが放電電極ＨＤ２に接続されたダイオードＤ２のアノードと、アノードが放電電極ＨＤ３に接続されたダイオードＤ３のカソードとに接続されており、他端は、対向電極ＴＤ，ＴＤに接続されている。
【００２９】
上述した駆動回路３５の構成において、入力端子Ｉ１，Ｉ２間に交流電圧が印加された場合、該交流電圧はダイオードＤ１で直流に整流され、整流された直流電圧が、抵抗Ｒ１を介してコンデンサＣ１を充電する。コンデンサＣ１の両端電圧が二端子サイリスタＳ１のブレークオーバー電圧（本実施の形態では約１００Ｖ）に達した場合、二端子サイリスタＳ１が導通を開始し、導通する電流がブレークオーバー電流（例えば１ｍＡ）に達したときに、二端子サイリスタＳ１が略短絡状態となって、コンデンサＣ１に充電された電荷が、昇圧トランスＴ１の一次巻線Ｔ１ａを通じて接地電位に放電する。
【００３０】
これにより、二次巻線Ｔ１ｂには、昇圧されたインパルス状の高電圧が発生し、これに続いて発生した高圧の振動電圧が、ダイオードＤ２及びＤ３を介して放電電極ＨＤ２及びＨＤ３に印加され、対向電極ＴＤ，ＴＤとの間でコロナ放電が発生して、夫々正のイオン及び負のイオンを発生させるようになっている。
【００３１】
上述のとおり構成された空気循環装置１において、図示しない商用電源の電源スイッチが投入された場合、前述の直流電源が、商用電源の交流電圧を降圧及び整流した直流電圧をイオン発生器３０，３０の各電源端子３４に与える。また、電源送風機１０のモータ１５が回転翼１２を回転させて、植物栽培施設２内の空気を吸入口１３から上向き、即ち図１，３の白抜き矢印の向きに吸い込む。吸入口１３から吸い込まれた空気は、回転翼１２の羽根の間を通過して通流方向が水平方向に向けられ、吹出口１６から白抜き矢印の方向に吹き出される。
【００３２】
吹き出されるべき空気の一部がイオン発生器３０，３０の下方を通過する際に、イオン発生器３０，３０が夫々発生させた正及び負のイオンが空気中に放出されるため、正及び負のイオンが豊富に含まれた空気が吹出口１６から吹き出されて植物栽培施設２内を図１の破線の如く循環する。
尚、吸入口１３の下方に配された照明器２０は、水平方向の断面積が吸入口１３の開口面積より十分小さいため、照明器２０が、吸入口１３から吸い込まれる空気の通流の妨げとなることはない。
【００３３】
照明器２０は、吸入口１３の周囲を照明するため、吸入口１３の周囲に飛来する昆虫類等の虫に忌避的反応を誘起せしめる。また、回転翼１２の表面が鏡面化されているため、照明器２０から発せられた光の一部が回転翼１２で反射されて吸入口１３の外側、即ち吸入口１３の下方及び斜め下方へ反射される。この場合の反射方向は、回転翼１２の回転周期に同期して周期的に変化する。つまり、吸入口１３の周囲に飛来した虫に対して、周期的に点滅する光が当たるようになるため、前記忌避的反応が増長される。
【００３４】
イオン発生器３０，３０が夫々発生させるイオンは、正のイオン：Ｈ3 Ｏ+ （Ｈ2 Ｏ）m （ｍは０又は任意の自然数）と負のイオン：Ｏ2 - （Ｈ2 Ｏ）n （ｎは０又は任意の自然数）とからなる。これらの組成を有する正及び負のイオンは、空気中に浮遊しているカビ（真菌）、細菌等の微生物を除去することが知られている。これは、正及び負のイオンが静電気力により空気中の微生物の表面タンパク質に付着して以下の式（１），（２）の化学反応を引き起こし、これらの反応から生じる酸素活性種（・ＯＨ、Ｈ2 Ｏ2 、Ｏ2 Ｈ）が微生物の表面分子に損傷を与えて微生物を死滅させるためと考えられている。
【００３５】
Ｈ3 Ｏ+ ＋Ｏ2 -   →  ・ＯＨ＋Ｈ2 Ｏ2 ・・・・・・（１）
Ｈ3 Ｏ+ ＋Ｏ2 -   →  ・Ｏ2 Ｈ＋Ｈ2 Ｏ・・・・・・（２）
【００３６】
植物の病気は、空気中に浮遊しているカビ及び細菌が原因であることが多いため、本発明に係る空気循環装置１で植物栽培施設２内の空気にイオンを含ませて循環させることにより、植物の病害を防止することが可能となる。
【００３７】
以上のように本実施の形態１によれば、照明器が、虫除け効果を有する黄色の波長が含まれる光を発して吸入口の周囲を照明する。
これにより、吸入口の周囲に飛来する虫に忌避的反応を誘起せしめて、虫に吸入口から遠ざかるように行動させるため、エアフィルタ等の風量を低下させるような部材を要することなくイオン発生器の放電部に虫が付着することが防止される。
従って、風量を損なうことなく虫の侵入を防止して安定的に発生させ続けたイオンを、豊富な風量で吹き出される空気と共に循環させることが可能となる。また、エアフィルタがない分だけ送風機の省エネルギー化が可能となる。
【００３８】
更にまた、表面に鏡面加工処理が施されたアルミニウムからなる回転翼が、照明器から発せられた光の一部を吸入口の外側、即ち吸入口の下方及び斜め下方へ反射させる。この場合、回転翼の回転周期に同期して反射方向を周期的に変化させて、吸入口の周囲に飛来した虫に対し周期的に点滅する光が当たるようにする。
従って、前述の虫に誘起せしめる忌避的反応を増長させることが可能となる。
【００３９】
尚、本実施の形態１にあっては、回転翼１２は表面が鏡面化されたアルミニウム合金からなるが、これに限定されるものではない。回転翼１２は、光の反射率が高くなる構成であることが好ましく、例えば鉄、アルミニウム等の金属部材又は合成樹脂部材の表面に、夫々メッキ又は蒸着によって鏡面加工処理を施したものであってもよい。更に、鏡面を保護する保護膜を設けてもよい。
【００４０】
また、回転翼１２は４枚羽根としたが、これに限定されるものではなく、回転翼が２枚、３枚又は５枚以上の羽根を有するものであってもよい。
【００４１】
更にまた、吹出口１６は、ケーシング１１の周面の全周にリング状に形成したが、これに限定するものではなく、例えば、イオン発生器３０，３０が配された両側部にのみ吹出口を形成するようにしてもよい。
【００４２】
（実施の形態２）
実施の形態１は、回転翼１２がプロペラ状であって回転軸の周りに４枚の羽根が取着されている形態であるのに対し、実施の形態２は、送風機が遠心ファンであり、複数の羽根が保持部材によって回転軸の周りに保持されている形態である。
【００４３】
図６は、本発明の実施の形態２に係る空気循環装置１ａが植物栽培施設２の天井に設置された状態を模式的に示す正面視の透視図である。また、図７は、送風機を正面右下から見た斜視図、及び送風機の外観を略示する底面図であり、図８は、イオン発生器３０，３０が取着された送風機の内部構成を略示する正面断面図である。
【００４４】
図中１０ａは、植物栽培施設２の天井から懸架された空気循環装置１ａの送風機であり、送風機１０ａは、上部が天壁１４ａで閉じられ下部に後述する回転翼１２ａの直径と略同一長の直径を有する円形状の吸入口１３ａが開設された扁平な略円筒形状をなすケーシング１１ａを備える。ケーシング１１ａには、天壁１４ａの上面の中央部に配されたモータ１５ａが鉛直方向を軸にして回転させる回転翼１２ａが収容されている。回転翼１２ａは、モータ１５ａに軸着された円盤状の保持部材１７と、該保持部材１７の円周上に各上端を保持された複数の羽根とからなる。つまり、送風機１０ａは、いわゆる遠心ファン（例えばシロッコファン）である。
【００４５】
吸入口１３ａの中央部の下方には、管軸を水平方向に向けた直管蛍光灯からなる照明器２０が配設されている。ケーシング１１ａの両側部の周面には、送風機１０ａが回転翼１２ａによって吸入口１３ａから吸い込んだ空気を回転翼１２ａの径方向に吹き出すための吹出口１６ａ，１６ａが、径方向と直交する断面を矩形状になして両側方に突出するように形成されている。吹出口１６ａ，１６ａが形成された部位に対し周方向に夫々隣接する部位の内周面には、回転翼１２ａによって周方向に通流する空気の通流を阻止して空気を吹出口１６ａ，１６ａに導くための喉部１１１，１１１が夫々形成されている。
【００４６】
送風機１０ａの天壁１４ａの下面には、正及び負のイオンを発生させるイオン発生器３０，３０が、各放電部３２，３３を下側にして、回転翼１２ａの外周部の斜め上方且つ回転軸の両側方に位置するように取着されている。イオン発生器３０，３０は、各放電部３２，３３を結ぶ方向が、回転翼１２ａの周方向と略一致するように且つ吹出口１６ａ，１６ａ夫々の開口方向と略直交するようにしてある。
【００４７】
保持部材１７の下面には、底面を回転翼１２ａの回転軸の方向に向けて一側面が前記下面と接している三角錐のような形状をなす突状部１８，１８，１８，１８が放射状に形成されており、各突状部１８，・・１８を含めて保持部材１７の下面全体が鏡面化されている。
尚、鏡面化については、実施の形態１と同様の方法によればよい。
【００４８】
上述のとおり構成された空気循環装置１ａにおいて、吸入口１３ａから吸い込まれた空気は、ケーシング１１ａ内で回転翼１２ａの周方向に、且つ下方から見て反時計回りに通流する気流となり、喉部１１１，１１１で通流が阻止されて、夫々吹出口１６ａ，１６ａから白抜き矢印の方向に吹き出される。吹き出されるべき空気の一部がイオン発生器３０，３０の下方を通過する際に、イオン発生器３０，３０が夫々発生させた正及び負のイオンが空気中に放出されるため、正及び負のイオンが豊富に含まれた空気が吹出口１６ａ，１６ａから吹き出されて植物栽培施設２内を図６の破線の如く循環する。
【００４９】
一方、照明器２０から発せられた光のうち、吸入口１３ａの内側に向かう光は、保持部材１７の下面で反射されて吸入口１３ａの外側に向かう光となり、吸入口１３ａの周囲を上側から照明するため、吸入口１３ａの周囲の照度が増す。また、吸入口１３ａの内側に向かう光の一部が突状部１８，・・１８で反射されて吸入口１３ａの外側へ反射される。この場合の反射方向は、回転翼１２ａの回転周期に同期して周期的に変化する。
【００５０】
その他、実施の形態１に対応する箇所には同様の符号を付して、その詳細な説明を省略する。
【００５１】
以上のように本実施の形態２によれば、下面が鏡面化された保持部材の突状部が、照明器から発せられた光の一部を吸入口の外側、即ち吸入口の下方及び斜め下方へ反射させる。この場合、回転翼の回転周期に同期して反射方向を周期的に変化させて、吸入口の周囲に飛来した虫に対し周期的に点滅する光が当たるようにする。
従って、虫に誘起せしめる前述の忌避的反応を増長させることが可能となる。
【００５２】
尚、本実施の形態２にあっては、突状部１８，・・１８を三角錐状に形成したが、これに限定されるものではなく、他の多角錐状に形成してもよい。また、突状部を、底面が保持部材１７の下面に接するような多角錐の形状に形成してもよい。
【００５３】
（実施の形態３）
実施の形態２は、保持部材１７に三角錐状の突状部１８，１８，１８，１８が形成されており、照明器２０が管状蛍光灯からなる形態であるのに対し、実施の形態３は、保持部材１７に多数の半球殻状の突状部が形成されており、照明器がＬＥＤからなる形態である。
【００５４】
図９は、本発明の実施の形態３に係る空気循環装置１ｂが植物栽培施設２の天井に設置された状態を模式的に示す正面視の透視図である。また、図１０は、送風機を正面右下から見た斜視図、及び送風機の外観を略示する底面図であり、図１１は、イオン発生器３０，３０が取着された送風機の内部構成を略示する正面断面図である。
【００５５】
図中１０ｂは、植物栽培施設２の天井から懸架された空気循環装置１ｂの送風機であり、送風機１０ｂは、下部に吸入口１３ａが開設されたケーシング１１ａを備える。ケーシング１１ａには、回転翼１２ａが収容されている。回転翼１２ａは、円盤状の保持部材１７と、複数の羽根とからなる。吸入口１３ａの中央部の下方には、ＬＥＤからなる照明器２０ａが光の照射方向を上向きして配設されている。照明器２０ａは、虫除け効果を有する黄色の光を発して吸入口１３ａの周囲を下側から照明する。
【００５６】
保持部材１７の下面には、凸面を下方に向けて前記下面と接する半球殻のような形状をなす多数の突状部１８ａ，１８ａ，・・１８ａが一面に形成されており、各突状部１８ａ，・・１８ａを含めて保持部材１７の下面全体が鏡面化されている。
【００５７】
上述のとおり構成された空気循環装置１ｂにおいて、照明器２０ａから発せられた光のうち、吸入口１３ａの内側に向かう光は、保持部材１７の下面で反射されて吸入口１３ａの外側に向かう光となり、吸入口１３ａの周囲を上側から照明するため、照明器２０ａより下側についても吸入口１３ａの周囲が照明される。また、吸入口１３ａの内側に向かう光の一部が突状部１８ａ，・・１８ａで反射されて吸入口１３ａの外側へ反射される。この場合の反射方向は、回転翼１２ａの回転周期に同期して周期的に変化する。
【００５８】
その他、実施の形態１及び２に対応する箇所には同様の符号を付して、その詳細な説明を省略する。
【００５９】
以上のように本実施の形態３によれば、下面が鏡面化された保持部材の突状部が、照明器から発せられた光の一部を吸入口の外側、即ち吸入口の下方及び斜め下方へ反射させる。この場合、回転翼の回転周期に同期して反射方向を周期的に変化させて、吸入口の周囲に飛来した虫に対し周期的に点滅する光が当たるようにする。
従って、前述の虫に誘起せしめる忌避的反応を増長させることが可能となる。
【００６０】
また、照明器が発光ダイオードからなるため、照明器の寿命を延ばし、消費電力を低減させることが可能となる。
【００６１】
尚、本実施の形態３にあっては、突状部１８ａ，・・１８ａを半球殻状に形成したが、これに限定されるものではなく、例えば正多面体を半分に切断したような形状であってもよい。
【００６２】
（実施の形態４）
実施の形態３は、保持部材１７に多数の半球殻状の突状部１８ａ，１８ａ，・・１８ａが形成されている形態であるのに対し、実施の形態４は、保持部材１７に光反射部材が取着されている形態である。図１２は、本発明の実施の形態４に係る空気循環装置の送風機を正面右下から見た斜視図、及び送風機の外観を略示する底面図であり、図１３は、イオン発生器３０，３０が取着された送風機の内部構成を略示する正面断面図である。
【００６３】
図中１０ｃは送風機であり、送風機１０ｃは、下部に吸入口１３ａが開設されたケーシング１１ａを備える。ケーシング１１ａには、回転翼１２ａが収容されている。回転翼１２ａは、円盤状の保持部材１７と、複数の羽根とからなる。吸入口１３ａの中央部の下方には、照明器２０ａが配設されている。
【００６４】
保持部材１７の下面の中央部には、鉛直方向の中心軸の周りに８つの台形状の光反射片の上底を連ねた光反射部材１９が取着されている。光反射部材１９は、隣り合う各光反射片の斜辺同士を突き合わせてあり、夫々の光反射片の法線が斜め下方に広がるようにしてある。つまり、光反射部材１９は、石突を下にして傘を開いたような形状となっている。保持部材１７の下面全体及び光反射部材１９の表面は、鏡面化されている。
【００６５】
上述のとおり構成された空気循環装置において、照明器２０ａから発せられた光のうち、吸入口１３ａの内側に向かう光は、保持部材１７の下面で反射されて吸入口１３ａの外側に向かう光となり、吸入口１３ａの周囲を上側から照明する。更に、吸入口１３ａの内側に向かう光の一部が光反射部材１９で反射されて吸入口１３ａの外側へ反射される。この場合の反射方向は、回転翼１２ａの回転周期に同期して周期的に変化する。
【００６６】
その他、実施の形態１及び３に対応する箇所には同様の符号を付して、その詳細な説明を省略する。
【００６７】
以上のように本実施の形態４によれば、下面が鏡面化された保持部材の光反射部材が、照明器から発せられた光の一部を吸入口の外側、即ち吸入口の下方及び斜め下方へ反射させる。この場合、回転翼の回転周期に同期して反射方向を周期的に変化させて、吸入口の周囲に飛来した虫に対し周期的に点滅する光が当たるようにする。
従って、虫に誘起せしめる前述の忌避的反応を増長させることが可能となる。
【００６８】
尚、本実施の形態４にあっては、中心軸の周りに連なる８つの光反射片で構成された光反射部材１９を保持部材１７の下面の中央部に取着したが、これに限定されるものではなく、例えば、法線を任意の方向に向けた任意の形状の光反射部材を、保持部材１７の下面の任意の部位に任意の個数だけ取着してもよい。この場合、光反射部材に通風口を開けるなどして送風機の風量が確保されるようにする。
【００６９】
また、実施の形態３及び４にあっては、照明器２０ａをＬＥＤで点光源のように構成したが、これに限定されるものではなく、多数のＬＥＤを水平方向に直線状に配してもよい。また、ＬＥＤからなる照明器２０ａに代えて直管蛍光灯からなる照明器２０を用いてもよい。
【００７０】
更にまた、実施の形態２から４にあっては、保持部材１７の下面を鏡面化したが、これに限定されるものではなく、少なくとも突状部１８，１８ａ及び光反射部材１９の夫々を鏡面化すれば、吸入口の周囲に飛来する虫に誘起せしめる忌避的反応を増長させることが可能となる。
【００７１】
更にまた、実施の形態２から４にあっては、夫々保持部材１７に突状部１８，１８，１８，１８又は突状部１８ａ，１８ａ，・・１８ａを形成し光反射部材１９を取着したが、これに限定されるものではなく、例えば、回転翼１２ａとは別にミラーボールのようなものを用いて、照明器２０又は照明器２０ａから発せられた光を吸入口１３ａの外側へ反射させ、反射方向を変化させるようにしてもよい。
【符号の説明】
【００７２】
１、１ａ、１ｂ  空気循環装置
１０  送風機
１０ａ、１０ｂ、１０ｃ  送風機（遠心ファン）
１２、１２ａ  回転翼
１７  保持部材
１８、１８ａ  突状部
１９  光反射部材
２０、２０ａ  照明器
３０  イオン発生器
【図１】
2011000100.tif 000003
【図２】
2011000100.tif 000004
【図３】
2011000100.tif 000005
【図４】
2011000100.tif 000006
【図５】
2011000100.tif 000007
【図６】
2011000100.tif 000008
【図７】
2011000100.tif 000009
【図８】
2011000100.tif 000010
【図９】
2011000100.tif 000011
【図１０】
2011000100.tif 000012
【図１１】
2011000100.tif 000013
【図１２】
2011000100.tif 000014
【図１３】
2011000100.tif 000015